(57)【要約】【課題】ユーザーが容易にレンズを保護できる交換レンズを提供することを目的とする。【解決手段】ここに開示された技術にかかる交換レンズ１００は、ここに開示された技術にかかる交換レンズは、最も被写体側に配置されたレンズと、レンズを保持する筒状のホルダー１５０と、ホルダー１５０の外周に回転可能に設けられたズームリング１３０と、レンズの被写体側を覆うバリア羽根１９６及びバリア羽根１９７を有するバリアユニット１９０と、を備える。バリアユニット１９０は、ズームリング１３０の回転によりバリア羽根１９６及びバリア羽根１９７の開閉が可能である。【選択図】図４
2014186079.tif 000002
【特許請求の範囲】
【請求項１】
筒状の枠体と、
前記枠体の最も被写体側に配置されたレンズと、
前記枠体の外周に回転可能に設けられた回転リングと、
前記レンズの被写体側を覆うバリア羽根を有するバリア機構と、を備え、
前記バリア機構は、前記回転リングの回転により前記バリア羽根の開閉が可能である、交換レンズ。
【発明の詳細な説明】
【技術分野】
【０００１】
ここに開示された技術は、デジタルカメラ等のカメラ本体に着脱可能に取り付けられる交換レンズに関する。
【背景技術】
【０００２】
従来、デジタルカメラ等のカメラ本体に着脱可能に取り付けられる交換レンズにおいて、レンズを保護するために、レンズキャップを取り付ける構成が知られている（例えば、特許文献１参照）。
【先行技術文献】
【特許文献】
【０００３】
【特許文献１】特開２００２−２２９０９０号公報
【発明の概要】
【発明が解決しようとする課題】
【０００４】
しかしながら、レンズキャップが交換レンズとは別体であるため、ユーザーが取り付ける作業が発生していた。そのため、ユーザーの手間となるという問題や取り付けを怠ったときにレンズにゴミや傷を付けてしまうという問題が発生することがあった。
【０００５】
そこで、ここに開示された技術は、上記の問題を解決すべく、ユーザーが容易にレンズを保護できる交換レンズを提供することを目的とする。
【課題を解決するための手段】
【０００６】
上記目的を達成するために、ここに開示された技術にかかる交換レンズは、最も被写体側に配置されたレンズと、レンズを保持する筒状の枠体と、枠体の外周に回転可能に設けられた回転リングと、レンズの被写体側を覆うバリア羽根を有するバリア機構と、を備える。バリア機構は、回転リングの回転によりバリア羽根の開閉が可能である。
【発明の効果】
【０００７】
上記の構成によれば、ユーザーが容易にレンズを保護できる交換レンズを提供することができる。
【図面の簡単な説明】
【０００８】
【図１】実施の形態１にかかる交換レンズの分解斜視図
【図２】実施の形態１にかかる交換レンズの携行時の断面図
【図３】実施の形態１にかかるバリアユニットの分解斜視図
【図４】（Ａ）実施の形態１にかかる交換レンズのＷｉｄｅ端時の前面斜視図（Ｂ）実施の形態１にかかる交換レンズのＴｅｌｅ端時の前面斜視図（Ｃ）実施の形態１にかかる交換レンズのバリア閉状態時の前面斜視図
【図５】（Ａ）実施の形態１にかかるＷｉｄｅ端時のバリアユニットと直進固定枠を示す図（Ｂ）実施の形態１にかかるＴｅｌｅ端時のバリアユニットと直進固定枠を示す図（Ｃ）実施の形態１にかかるバリア閉状態時のバリアユニットと直進固定枠を示す図
【発明を実施するための形態】
【０００９】
（実施の形態１）
以下、図面を用いて実施の形態を説明する。
【００１０】
［１．交換レンズの構成］
図１は、実施の形態１にかかる交換レンズの分解斜視図である。図２は、交換レンズの断面図である。交換レンズ１００は、レンズマウント１１０、後枠１２０、ズームリング１３０、マウントベース１４０、ホルダー１５０、フォーカスリング１６０、前枠１７０、フィルターリング１８０、バリアユニット１９０を備える。交換レンズ１００は、光軸ＡＸを規定する光学系を保持する。
【００１１】
レンズマウント１１０は、カメラ本体に交換レンズ１００をとりつけるためのレンズマウント１１０である。レンズマウント１１０は、交換レンズ１００を構成する部材のうち、最もカメラ本体側に配置される部材である。レンズマウント１１０は、中心に開口部を有する略円盤形状である。レンズマウント１１０の開口部には、光軸方向後側へ立設された筒状の取付部が形成され、取付部の先端には、外側へ向かって突出したバヨネット爪部が形成されている。この取付部がカメラ本体の装着部に挿入され、交換レンズ１００がカメラ本体に対して周方向に回転されることで、装着部に形成されたバヨネット受け部とバヨネット爪部とが係合され、交換レンズ１００がカメラ本体に取り付けられる。交換レンズ１００は、カメラ本体に対して、前側から後側を見て右回りに回転される。レンズマウント１１０には、前側から後側に貫通した孔部１１１が形成されている。孔部１１１は、後述されるテーパー部を挿入するための孔部１１１である。孔部１１１は、後側から前側を見て、バヨネット爪部と重なる位置に形成される。
【００１２】
後枠１２０は、筒状の部材であり、レンズマウント１１０の被写体側かつ、マウントベース１４０の外側を覆うように配置される。後枠１２０は、マウントベース１４０に取り付けられる。
【００１３】
ズームリング１３０は、筒状の部材であり、後枠１２０より被写体側かつ、マウントベース１４０の外側を覆うように配置される。ズームリング１３０は、マウントベース１４０に対して周方向に回転自在にマウントベース１４０に保持される。ズームリング１３０は、ユーザーからの操作を受け付け、マウントベース１４０が保持するズームレンズ群を移動させることにより、光学系の焦点距離を調整することができる。ズームリング１３０には、内側から外側へ貫通した孔部１３１が設けられる。
【００１４】
マウントベース１４０は、筒状の部材であり、光軸ＡＸを規定する光学系を保持する。マウントベース１４０は、内側にカム枠１４１を、マウントベース１４０に対して回転可能に保持している。マウントベース１４０とカム枠１４１との間には、後述するホルダー１５０が設けられている。
【００１５】
カム枠１４１は回転することにより、直進固定枠２００の外側に配置されたホルダー１５０と、直進固定枠２００の内側に配置されたズームレンズ群２１０と、を光軸方向へ移動させることができる。
【００１６】
ボス１４２は、マウントベース１４０の内側に配置される。ズームリング１３０と後述のカム枠１４１とは、孔部１３１を介して駆動ピンにより連動する。そのため、ズームリング１３０を周方向に回転させることにより、マウントベース１４０が保持するカム枠１４１を同時に回転させることが可能である。また、カム枠１４１を回転させることにより、カム枠１４１の内面に形成されているカム溝形状に沿って、ホルダー１５０及びズームレンズ群２１０を光軸方向に前後動作させることが可能である。
【００１７】
ホルダー１５０は、周方向で直進固定枠２００とマウントベース１４０との間に配置され、直進固定枠２００より被写体側に配置される。孔部１５１には突起２０１を挿入するための溝が形成されている。
【００１８】
孔部１５１は、直進固定枠２００の外面に形成されているカム溝形状に沿って、軸方向に前後動作させることが可能である。
【００１９】
フォーカスリング１６０は、ズームリング１３０より被写体側かつ、マウントベース１４０の外側を覆うように配置される。フォーカスリング１６０は回転可能で、回転量を検知するセンサーによって、電気的にフォーカスレンズを光軸方向に前後移動することが可能である。
【００２０】
前枠１７０は、フォーカスリング１６０より被写体側に配置され、ズームリング１３０とフォーカスリング１６０の光軸方向の移動を規制するために設けられている。
【００２１】
フィルターリング１８０は、前枠１７０より被写体側に配置される。
【００２２】
バリアユニット１９０は、最も被写体側に配置される。バリアユニット１９０の詳細について、以下で説明する。
【００２３】
［２．レンズバリアユニットの構成］
図３は、実施の形態１にかかるバリアユニットの分解斜視図である。
【００２４】
図３に示すように、バリアユニット１９０は、第１リング１９１と、第１バネ１９２、第２バネ１９３、第２リング１９４、ベース１９５、第１バリア羽根１９６、第１バリア羽根１９７、前カバー１９８、テーパー部１９９とを備える。
【００２５】
第１リング１９１は、円形状で形成され、バリア部材の中で最も保護するレンズ側に配置される。第１リング１９１は、テーパー部１９９が形成されている。テーパー部１９９は、直進固定枠２００の突起２０１と係合して、第１リング１９１をベース１９５及び第２リングに対して相対的に回転させる。なお、第１リング１９１には、第１バネ１９２及び第２バネ１９３の一端が固定されている。
【００２６】
第１バネ１９２および第２バネ１９３は、コイル状の金属ばねである。
【００２７】
第２リング１９４は、第１バネ１９２と第２バネ１９３の一端が取り付けられる。第２リング１９４は、ベース１９５に固定されており、第１リング１９１が相対回転すると、第１バネ１９２と第２バネ１９３を引っ張る。
【００２８】
ベース１９５は、フィルターリング１８０の前側に取り付けられる。ベース１９５の後側に第１リング１９１、第２リング１９４、前側にバリア羽根１９６、１９７が取り付けられる。
【００２９】
前カバー１９８は、バリア羽根１９６、１９７をベース１９５との間に挟みこんで、バリア羽根の脱落を防止する。
【００３０】
テーパー部１９９は、第１リング１９１の後端面から光軸方向後方へ突出している。テーパー部１９９は、光軸方向及び周方向へ傾斜するテーパー面を有している。テーパー面は、前方から後方へ向かって、周方向の長さが徐々に短くなり、かつ、前方から見て左回りの方向へ、光軸方向の長さが徐々に短くなるように形成されている。つまり、突起２０１によってテーパー面が光軸方向前方へ付勢されると、第１リング１９１は、前方から見て右回りへ回転する。
【００３１】
［３．バリアユニットの動作］
図４Ａは、実施の形態１にかかる交換レンズのＷｉｄｅ端時の前面斜視図、図４Ｂは、Ｔｅｌｅ端時の前面斜視図、図４Ｃは、バリア閉状態時の前面斜視図である。ここで、図４Ａ〜図４Ｃにおいて、バリアユニット１９０と直進固定枠２００との関係を説明しやすいように、フィルターリング１８０は図示されていない。
【００３２】
実施の形態１にかかる交換レンズは、撮影時にはバリアユニット１９０が開状態であり、携行時にはバリアユニット１９０が閉状態である。撮影時とは、Ｗｉｄｅ端からＴｅｌｅ端までの状態をいう。携行時とは、ユーザーが撮影しない状態をいい、像面に結像できる状態であっても、できない状態であってもよい。ここで、バリアユニット１９０が閉状態であるときを「バリア閉状態」と呼び、バリアユニット１９０が開状態であるときを「バリア開状態」と呼ぶ。なお、バリアユニット１９０の開状態とは、バリア羽根１９６とバリア羽根１９７とが開いた状態であり、最も被写体側に配置されるレンズに光を入射可能な状態である。バリアユニット１９０の閉状態とは、バリア羽根１９６とバリア羽根１９７とが閉じた状態であり、バリア羽根１９６及びバリア羽根１９７が最も被写体側に配置されるレンズを覆う状態である。
【００３３】
図４Ｃに示すように、携行時において、交換レンズ１００は、バリアユニット１９０が閉状態である。一方、図４Ａ及び図４Ｂに示すように、交換レンズ１００は、撮影時において、バリアユニット１９０が開状態である。バリアユニット１９０の開状態と閉状態との移行については、以下で詳述する。
【００３４】
図５Ａは、実施の形態１にかかるＷｉｄｅ端時のバリアユニットと直進固定枠を示す図、図５Ｂは、Ｔｅｌｅ端時のバリアユニットと直進固定枠を示す図、図５Ｃは、バリア閉状態時のバリアユニットと直進固定枠を示す図である。
図５Ｃに示すように、バリアユニット１９０の閉状態時において、第１リング１９１は、第１バネ１９２及び第２バネ１９３により、前方から見て左回りの方向へ付勢されており、突起２０１がフィルターリング１８０に形成された孔部１８１から突出した状態で第１リング１９１のテーパー部１９９に係合させることにより、バリア閉状態を保持している。
図５Ａ及び図５Ｃに示すように、閉状態からＷｉｄｅ端への移行区間において、ズームリング１３０を前方から見て左回りに回転させることにより、ホルダー１５０とバリアユニット１９０とが前方向に移動する。このとき、第１リング１９１は、第１バネ１９２及び第２バネ１９３により左回りに付勢されているため、突起２０１がテーパー部１９９のテーパー面に沿って移動しながら、左回りに回転する。それに伴い、バリア羽根１９６とバリア羽根１９７とが開いた状態に移行し、図４Ａ及び図５Ａに示すようにＷｉｄｅ端時にはバリア羽根１９６とバリア羽根１９７とが開ききった状態となる。
【００３５】
図４Ｂ及び図５Ｂに示すように、Ｗｉｄｅ端からＴｅｌｅ端への移行区間において、突起２０１とテーパー部１９９とは、離れていく方向へ移動するため、係合されず、バリアユニット１９０は、開状態を維持される。よって、Ｗｉｄｅ端からＴｅｌｅ端の間において、交換レンズ１００は、通常の撮影が可能となる。
【００３６】
次に、バリア開状態からバリア閉状態への移行区間におけるバリアユニット１９０の動作について説明する。
【００３７】
まず、図５Ｂ及び図５Ａに示すように、ズームリング１３０を前方から見て右回転させることでＴｅｌｅ端からＷｉｄｅ端へ移行し、バリアユニット１９０は後方へ移動し、バリアユニット１９０と直進固定枠２００とが接近していく。Ｗｉｄｅ端では、図５Ａに示すように、第１リング１９１に備えられたテーパー面に直進固定枠２００に設けられた突起が接触する。そして、Ｗｉｄｅ端から閉状態への移行区間において、さらにズームリング１３０を右回転させることにより、バリアユニット１９０が後方に移動する。このとき、テーパー面に突起が当接しながらテーパー部１９９が右回転する。つまり、第１リング１９１が右回転する。そして、第１リング１９１の回転に伴って第２リング１９４も回転し、バリア羽根１９６とバリア羽根１９７とが閉じた状態に移行する。
【００３８】
［５．まとめ］
ここに開示された技術にかかる交換レンズ１００は、ここに開示された技術にかかる交換レンズは、最も被写体側に配置されたレンズと、レンズを保持する筒状のホルダー１５０と、ホルダー１５０の外周に回転可能に設けられたズームリング１３０と、レンズＬ１の被写体側を覆うバリア羽根１９６及びバリア羽根１９７を有するバリアユニット１９０と、を備える。バリアユニット１９０は、ズームリング１３０の回転によりバリア羽根１９６及びバリア羽根１９７の開閉が可能である。
【００３９】
上記の構成によれば、ユーザーが容易にレンズを保護できる交換レンズを提供することができる。
【００４０】
（他の実施の形態）
ここに開示された技術の実施の形態として、実施の形態１を例示した。しかし、ここに開示された技術はこれには限らない。そこで、ここに開示された技術の他の実施の形態を以下まとめて説明する。なお、ここに開示された技術は、これらには限定されず、適宜修正された実施の形態に対しても適用可能である。
【００４１】
実施の形態１において、バリアユニット１９０は、バリア羽根１９６およびバリア羽根１９７の２組のバリア羽根を備えた構成としたが、これには限らない。例えば、１組であってもよいし、３組以上であってもよい。また、バリアユニット１９０は、１枚のバリア羽根で構成されてもよい。要するに、レンズを保護するためにレンズが露出しないように覆うことができる構成にすればよい。
【００４２】
また、Ｗｉｄｅ端から閉状態への移行区間において、クリック感を持たせる機構を設けてもよい。例えば、ホルダー１５０の内周面に微小な凸部を設け、ホルダー１５０とカム枠１４１との間でクリック感を発生させるように構成することができる。また、カム枠１４１の外周面に形成されたカム溝の一部の溝幅を狭めることで、カム溝とカムフォロアとの間でクリック感を発生させるように構成することができる。
【００４３】
さらに、Ｗｉｄｅ端から閉状態への移行区間において、ズームリング１３０の回転を規制するロック機構を設けてもよい。例えば、ボタンやレバー等の操作部を操作することで、ズームリング１３０の回転の規制と規制の解除とを切り替えるように構成することができる。
【産業上の利用可能性】
【００４４】
ここに開示された技術は、デジタル一眼カメラや一眼レフカメラなどのレンズ交換式の撮像装置に適用できる。
【符号の説明】
【００４５】
ＡＸ  光軸 
１００  交換レンズ
１１０  レンズマウント
１１１  孔部
１２０  後枠
１３０  ズームリング
１３１  孔部
１４０  マウントベース
１４１  カム枠
１４２  ボス
１５０  ホルダー
１５１  孔部
１６０  フォーカスリング
１７０  前枠
１８０  フィルターリング
１８１  孔部
１９０  バリアユニット
１９１  第１リング
１９２  第１バネ
１９３  第２バネ
１９４  第２リング
１９５  ベース
１９６  バリア羽根
１９７  バリア羽根
１９８  前カバー
１９９  テーパー部
２００  直進固定枠
２０１  突起
【図１】
2014186079.tif 000003
【図２】
2014186079.tif 000004
【図３】
2014186079.tif 000005
【図４】
2014186079.tif 000006
【図５】
2014186079.tif 000007